(57)【要約】【課題】浴室ユニットの床パンの高さ調整に関して作業性の低下を抑制できる浴室ユニットを提供する。【解決手段】浴室ユニット１０は、浴槽架台６０および床パン２０を備える。浴槽架台６０は、支持台６１、支持台６１を支持する複数の支持脚６２、および、支持脚６２に設けられて支持台６１の床面Ｆからの高さ位置を調整可能な調整機構６３を備える。床パン２０は、支持台６１よりも上方で支持台６１に連結されている。調整機構６３は、支持脚６２に設けられるボルト６４、および、床パン２０よりも下方に配置され、ボルト６４の回転を規制するロックナット６６を備える。床パン２０は、支持脚６２の少なくとも１つの上方に調整機構６３を操作可能な貫通孔３５を備える。【選択図】図６
2018003479.tif 000002
【特許請求の範囲】
【請求項１】
支持台、前記支持台を支持する複数の支持脚、および、前記支持脚に設けられて前記支持台の床面からの高さ位置を調整可能な調整機構を備える架台と、
前記支持台よりも上方で前記支持台に連結されている床パンとを備え、
前記調整機構は、前記支持脚に設けられるボルト、および、前記床パンよりも下方に配置され、前記ボルトの前記支持台に対する回転を規制するロックナットを備え、
前記床パンは、前記支持脚の少なくとも１つの上方に前記調整機構を操作可能な貫通孔を備える
浴室ユニット。
【請求項２】
前記床パンは、浴槽を設置する浴槽設置部を備え、
前記貫通孔は、前記浴槽設置部に形成されている
請求項１に記載の浴室ユニット。
【請求項３】
前記貫通孔は、前記浴槽設置部の角に形成されている
請求項２に記載の浴室ユニット。
【請求項４】
前記浴槽設置部は、浴槽設置面から上方に突出した凸部を備え、
前記貫通孔は、前記凸部に形成されている
請求項３に記載の浴室ユニット。
【請求項５】
前記床パンは、前記浴槽設置部と連結されている洗い場を備え、
前記凸部は、前記洗い場よりも低い
請求項４に記載の浴室ユニット。
【請求項６】
前記貫通孔を閉鎖する蓋、および、前記蓋に取り付けられて前記貫通孔を包囲可能なシール部を備える
請求項１〜５のいずれか一項に記載の浴室ユニット。
【発明の詳細な説明】
【技術分野】
【０００１】
本発明は、架台に支持されている床パンを備える浴室ユニットに関する。
【背景技術】
【０００２】
従来より、架台に支持されている床パンを備える浴室ユニットが知られている。従来の浴室ユニットの一例は、特許文献１のユニットバスである。特許文献１のユニットバスは、防水パンおよび浴槽を支持する支持架台を備える。特許文献１の支持架台は、高さ調整可能に防水パンおよび浴槽を支持する。支持架台は、防水パンおよび浴槽の底面に連結されているため、作業者は支持架台の側方から支持架台の高さを調整することによって防水パンおよび浴槽の高さを調整する。
【先行技術文献】
【特許文献】
【０００３】
【特許文献１】特開２００７−１０２５１号公報
【発明の概要】
【発明が解決しようとする課題】
【０００４】
上記ユニットバスが設置される空間が狭いとき、作業者が側方から支持架台の高さを調整することが不可能な場合がある。この場合、作業者は防水パンおよび浴槽の高さが適切でないと判断したとき、一旦防水パンおよび浴槽を作業が行えるように移動させて支持架台の高さや傾きを調整する。このため、ユニットバスの設置作業が煩雑になり、作業性が低下するおそれがある。
【課題を解決するための手段】
【０００５】
本発明に関する浴室ユニットの一形態は、支持台、前記支持台を支持する複数の支持脚、および、前記支持脚に設けられて前記支持台の床面からの高さ位置を調整可能な調整機構を備える架台と、前記支持台よりも上方で前記支持台に連結されている床パンとを備え、前記調整機構は、前記支持脚に設けられるボルト、および、前記床パンよりも下方に配置され、前記ボルトの回転を規制するロックナットを備え、前記床パンは、前記支持脚の少なくとも１つの上方に前記調整機構を操作可能な貫通孔を備える。
【発明の効果】
【０００６】
上記浴室ユニットは、浴室ユニットの床パンの高さ調整に関して作業性の低下を抑制できる。
【図面の簡単な説明】
【０００７】
【図１】実施の形態の浴室ユニットの斜視図である。
【図２】図１の浴槽を取り外した状態の浴室ユニットの斜視図である。
【図３】図１の床パンの平面図である。
【図４】図３の４−４線の断面図である。
【図５】図３の凸部の斜視図である。
【図６】図４の支持脚および調整機構の正面図である。
【図７】図６の調整機構の第１の操作手順を示す平面図である。
【図８】図６の調整機構の第２の操作手順を示す平面図である。
【図９】図６の調整機構の第３の操作手順を示す平面図である。
【図１０】変形例の床パンの平面図である。
【発明を実施するための形態】
【０００８】
（浴室ユニットが取り得る形態の一例）
〔１〕本発明に従う浴室ユニット１０の一形態は、支持台６１、前記支持台６１を支持する複数の支持脚６２、および、前記支持脚６２に設けられて前記支持台６１の床面Ｆからの高さ位置を調整可能な調整機構６３を備える架台６０と、前記支持台６１よりも上方で前記支持台６１に連結されている床パン２０とを備える。前記調整機構６３は、前記支持脚６２に設けられるボルト６４、および、前記床パン２０よりも下方に配置され、前記ボルト６４の回転を規制するロックナット６６を備える。前記床パン２０は、前記支持脚６２の少なくとも１つの上方に前記調整機構６３を操作可能な貫通孔３５を備える。
【０００９】
上記浴室ユニットによれば、架台および床パンを床面に設置した状態で貫通孔から調整装置を操作して支持台の床面の高さ位置を調整できる。このため、浴室ユニットの床パンの高さ調整に関して作業性の低下を抑制できる。
【００１０】
〔２〕前記浴室ユニット１０の一例によれば、前記床パン２０は、浴槽１２を設置する浴槽設置部３０を備え、前記貫通孔３５は、前記浴槽設置部３０に形成されている。
上記浴室ユニットによれば、調整が困難になりやすい支持脚の調整機構を架台および床パンを床面に設置した状態で操作できる。
【００１１】
〔３〕前記浴室ユニット１０の一例によれば、前記貫通孔３５は、前記浴槽設置部３０の角３３に形成されている。
上記浴室ユニットによれば、浴槽設置部の角に支持脚を配置できるため、浴槽設置部が安定する。
【００１２】
〔４〕前記浴室ユニット１０の一例によれば、前記浴槽設置部３０は、浴槽設置面３１から上方に突出した凸部３４を備え、前記貫通孔３５は、前記凸部３４に形成されている。
上記浴室ユニットによれば、貫通孔が浴槽設置面よりも上方に設けられるため、浴槽設置部に流れ込んだ水が貫通孔から床パンの下方に漏れることを抑制できる。
【００１３】
〔５〕前記浴室ユニット１０の一例によれば、前記床パン２０は、前記浴槽設置部３０と連結されている洗い場５０を備え、前記凸部３４は、前記洗い場５０よりも低い。
上記浴室ユニットによれば、貫通孔からロックナットまでの距離を短くできるため、調整機構の操作性が向上する。
【００１４】
〔６〕前記浴室ユニット１０の一例によれば、前記貫通孔３５を閉鎖する蓋４０、および、前記蓋４０に取り付けられて前記貫通孔３５を包囲可能なシール部４１を備える。
上記浴室ユニットによれば、シール部によって浴槽設置部に流れ込んだ水が貫通孔から床パンの下方に漏れることを抑制できる。
【００１５】
（実施の形態）
図１に示されるとおり、浴室ユニット１０は、壁部１１、浴槽１２、床パン２０、蓋４０（図２参照）、浴槽架台６０、および、洗い場架台７０を備える。浴槽架台６０は、「架台」に相当する。壁部１１は、床パン２０の上方に設置されて浴室ユニット１０を囲う。壁部１１の一部には、出入口部（図示略）が設けられている。浴槽１２は、平面視において長手方向および短手方向を有する。
【００１６】
図２に示されるとおり、床パン２０は、長方形状を有する。床パン２０は、浴槽設置部３０および洗い場５０を備える。床パン２０の大きさは、例えば長方形状の長辺が１．６メートル、かつ、短辺が１．２メートルである。この場合、浴槽設置部３０の大きさは、例えば長方形状の長辺が１．２メートル、かつ、長方形状の短辺が０．８メートルである。また、洗い場５０の大きさは、例えば長方形状の長辺が１．２メートル、かつ、長方形状の短辺が０．８メートルである。つまり、浴槽設置部３０と洗い場５０の大きさはほぼ等しい。
【００１７】
浴槽設置部３０は、樹脂材料によって構成されている。浴槽設置部３０は、成形型を用いて一体に形成されている。浴槽設置部３０は、長方形状を有する。浴槽設置部３０は、第１の縁部３０Ａ、第２の縁部３０Ｂ、第３の縁部３０Ｃ、および、第４の縁部３０Ｄを備える。第１の縁部３０Ａおよび第２の縁部３０Ｂは、浴槽設置部３０の長方形状の長辺に相当する。第３の縁部３０Ｃおよび第４の縁部３０Ｄは、浴槽設置部３０の長方形状の短辺に相当する。
【００１８】
図３に示されるとおり、浴槽設置部３０の縁部３０Ａ〜３０Ｄに囲まれた部分には、縁部３０Ａ〜３０Ｄよりも低い浴槽１２（図１参照）を設置するための浴槽設置面３１が形成されている。浴槽設置面３１には、２つの浴槽側排水口３２が形成されている。浴槽側排水口３２の一方は、浴槽設置面３１のうちの第２の縁部３０Ｂかつ第３の縁部３０Ｃ寄りに形成されている。浴槽側排水口３２の他方は、浴槽設置面３１のうちの第２の縁部３０Ｂ寄りかつ第４の縁部３０Ｄ寄りに形成されている。浴槽１２の底壁には、図示しない複数の排水口が形成されている。浴槽１２の排水口は、それぞれ浴槽側排水口３２と対応する位置に形成されている。
【００１９】
浴槽設置面３１は、隣り合う縁部３０Ａ〜３０Ｄが交差する部分に４つの角３３を備える。図５に示されるとおり、各角３３には、浴槽設置面３１よりも上方に突出した凸部３４が設けられている。凸部３４の頂面には貫通孔３５が形成されている。貫通孔３５は、蓋４０によって閉鎖されている。凸部３４は、角３３に設けられるため、貫通孔３５は、浴槽設置部３０の角３３に形成されている。貫通孔３５の周りには、蓋４０を貫通孔３５に取り付けるためのねじ孔３６が設けられている。ねじ孔３６には、ワッシャ４２が配置されている。ワッシャ４２は、例えばシリコン等の弾性材料によって構成されている。
【００２０】
蓋４０の裏面にはシール部４１が取り付けられている。シール部４１は、貫通孔３５を包囲可能に蓋４０の裏面の外周部に取り付けられている。シール部４１の大きさは、蓋４０よりも小さい。シール部４１は、例えば樹脂材料等の弾性材料によって構成されている。蓋４０は、ねじ４３がねじ孔３６にねじ込まれることによって、凸部３４の頂面に取り付けられ、貫通孔３５を閉鎖する。蓋４０が凸部３４の頂面に取り付けられているとき、ねじ孔３６はシール部４１の外周よりも内側に位置する。
【００２１】
図２に示される洗い場５０は、樹脂材料によって構成されている。洗い場５０は、成形型を用いて一体に形成されている。洗い場５０は、長方形状を有する。洗い場５０は、第１の縁部５０Ａ、第２の縁部５０Ｂ、第３の縁部５０Ｃ、および、第４の縁部５０Ｄを備える。第１の縁部５０Ａおよび第２の縁部５０Ｂは、洗い場５０の長方形状の長辺に相当する。第３の縁部５０Ｃおよび第４の縁部５０Ｄは、洗い場５０の長方形状の短辺に相当する。洗い場５０の第１の縁部５０Ａは、浴槽設置部３０の第２の縁部３０Ｂに連結されている。
【００２２】
洗い場５０には、２つの排水口５１が形成されている。排水口５１の一方は、洗い場５０のうちの第１の縁部５０Ａ寄り、かつ、第３の縁部５０Ｃ寄りに形成されている。排水口５１の他方は、洗い場５０のうちの第１の縁部５０Ａ寄り、かつ、第４の縁部５０Ｄ寄りに形成されている。各排水口５１は、第２の縁部３０Ｂおよび第１の縁部５０Ａを挟んで浴槽側排水口３２と対応する位置に配置されている。図４に示される凸部３４は、洗い場５０よりも低い。
【００２３】
図１に示されるとおり、浴槽架台６０は、床面Ｆの上方に設置されて浴槽設置部３０を下方から支持する。浴槽架台６０は、支持台６１、複数の支持脚６２、および、調整機構６３を備える。支持台６１は、金属材料によって構成されている。支持台６１は、柱状部材および板状部材が組み合わされることによって浴槽設置部３０の裏面を支持する。支持台６１は、グラスファイバー等によって浴槽設置部３０に固定されている。浴槽設置部３０および支持台６１は、いわゆるハンドレイアップ成形によって一体に形成されている。支持脚６２は、金属材料によって構成されている。支持脚６２は、支持台６１に取り付けられる。支持脚６２は、例えば４つ設けられる。支持脚６２は、浴槽設置部３０の貫通孔３５（図３参照）と対応する部分に取り付けられる。支持脚６２は、支持台６１を浴室ユニット１０の高さ方向に貫通する。
【００２４】
調整機構６３は、支持脚６２に設けられるボルト６４、ナット６５、および、ロックナット６６を備える。ナット６５は、支持台６１の下方に溶接等によって支持台６１に取り付けられている。支持脚６２のボルト６４は、ナット６５に挿入されている。ロックナット６６は、床パン２０よりも下方かつ支持台６１よりも上方においてボルト６４に挿入されている。ロックナット６６は、ボルト６４の支持台６１に対する回転を規制する状態と、ボルト６４の支持台６１に対する回転を許容する状態とを切り替えることができる。具体的には、ロックナット６６は、ボルト６４を締め付けることによってボルト６４の支持台６１に対する回転を規制する。ロックナット６６は、ボルト６４への締め付けを緩めることによってボルト６４の支持台６１に対する回転を許容する。浴槽設置部３０に設けられる貫通孔３５の内径は、支持脚６２の外径よりも大きい。貫通孔３５の内径は、浴槽架台６０の調整機構６３を操作するための工具の貫通孔３５を通過する部分の外径よりも十分に大きい。
【００２５】
図６に示されるとおり、支持脚６２をナット６５内において回転させることによって支持脚６２がボルト６４に沿って上または下に移動する。このため、支持脚６２の下端部６２Ｂが設置される床面Ｆから支持台６１までの高さが変化する。
【００２６】
図２に示されるとおり、洗い場架台７０は、床面Ｆの上方に設置されて洗い場５０を下方から支持する。洗い場架台７０は、支持台７１、複数の支持脚７２、および、調整機構（図示略）を備える。洗い場架台７０の調整機構は、浴槽架台６０の調整機構と同様の構造を有する。支持台７１は、金属材料によって構成されている。支持台７１は、柱状部材および板状部材が組み合わされることによって洗い場５０の裏面を支持する。支持台７１は、グラスファイバー等によって洗い場５０に固定されている。洗い場５０および支持台７１は、いわゆるハンドレイアップ成形によって一体に形成されている。支持脚７２は、金属材料によって構成されている。支持脚７２は、支持台７１に取り付けられる。支持脚７２は、例えば４つ設けられる。
【００２７】
図２および図５〜図９を参照して、調整機構６３の操作手順について説明する。
作業者は、図２に示されるとおり、浴槽設置部３０および浴槽架台６０を床面Ｆの上方に設置した状態を形成する。このとき、図６に示す調整機構６３のロックナット６６は緩めておく。作業者は、図７に示されるとおり、凸部３４から図６に示す蓋４０を取り外す。次に作業者は、図８に示されるとおり、支持脚６２の上端部６２Ａに形成される溝または穴に貫通孔３５を通過させたドライバＤの先端を嵌め込み、支持脚６２を支持台６１に対して回転させる。これによって図６に示す支持脚６２の支持台６１から床面Ｆまでの高さまたは浴槽設置部３０の傾きを変更し、浴槽設置部３０の床面Ｆからの高さを調整する。次に作業者は、図９に示されるとおり、貫通孔３５を通過させたソケットレンチＷをロックナット６６（図６参照）に嵌め込み、ロックナット６６を締める。次に、作業者は、図５に示されるとおり、蓋４０およびねじ４３を凸部３４に取り付けて貫通孔３５を閉鎖する。
【００２８】
作業者は、図２に示す浴槽設置部３０および浴槽架台６０を床面Ｆ（図４参照）の上方に設置した後、洗い場５０を浴槽設置部３０に連結し、洗い場５０および洗い場架台７０を床面Ｆの上方に設置する。作業者は、洗い場架台７０の支持脚７２の調整機構（図示略）を洗い場架台７０の側方、または、洗い場５０の排水口５１から手および工具を差し入れて調整機構を操作する。
【００２９】
浴室ユニット１０によれば、以下の作用および効果が得られる。
浴槽設置部３０および浴槽架台６０は、ハンドレイアップ成形によって製造される。このため、浴槽設置部３０および浴槽架台６０の形状の自由度が高い。他方、樹脂の内部にロックナットを埋め込むことができないため、浴槽設置部および架台がインサート成形によって一体に成形される場合と比較して、浴槽設置面からロックナットまでの距離が長くなり、調整機構が操作しにくくなる。浴室ユニット１０によれば、貫通孔３５を洗い場５０よりも低い凸部３４に形成しているため、浴槽設置面３１からロックナット６６までの距離を短くすることができる。このため、浴槽設置部３０および浴槽架台６０の形状の自由度を高めることと、調整機構６３の操作性の低下を抑制することとを両立できる。
【００３０】
また、浴槽設置部３０および浴槽架台６０は、ハンドレイアップ成形によって製造されるため、浴槽設置部および架台がインサート成形によって一体に成形される場合と比較して支持脚７２と浴槽設置部３０との位置ずれが生じやすい。浴槽設置部３０の貫通孔３５の内径は、浴槽架台６０の調整機構６３を操作するための工具（ドライバＤおよびソケットレンチＷ）の貫通孔３５を通過する部分の外径よりも十分に大きい。このため、支持脚７２と浴槽設置部３０との位置ずれが生じた場合であっても調整機構６３を操作することができる。また、貫通孔３５は、シール部４１を有する蓋４０によって閉鎖されるため、調整機構６３の操作性の低下の抑制と、貫通孔３５を大きくすることによって貫通孔３５から浴槽設置部３０の下方に水が漏れることの抑制とを両立できる。
【００３１】
一般的に床パン２０は、浴槽設置部３０を出入口から遠い側の壁面に沿わせて設置する。洗い場５０が出入口側に位置するため、洗い場５０の支持脚７２の調整機構（図示略）は側方から操作することができる。上記浴室ユニット１０によれば、側方から操作可能な調整機構が設けられる支持脚７２の上方には貫通孔３５を形成していない。このため、床パン２０の全ての支持脚７２の上方に貫通孔３５を形成する場合と比較して、蓋４０等を省略できるため、部品点数を削減することができる。
【００３２】
（変形例）
上記実施の形態に関する説明は本発明に従う浴室ユニットが取り得る形態の例示であり、その形態を制限することを意図していない。本発明に従う浴室ユニットは実施の形態以外に例えば以下に示される実施の形態の変形例、および、相互に矛盾しない少なくとも２つの変形例が組み合わせられた形態を取り得る。
【００３３】
・浴室ユニット１０の構成は、図１０に示す床パン１２０に変更可能である。図１０の床パン１２０は、浴槽設置部１３０および洗い場１５０を備える。洗い場１５０は、Ｌ字形状を有する。浴槽設置部１３０の第２の縁部３０Ｂおよび第３の縁部３０Ｃには、洗い場１５０が連結されている。床パン１２０は、方形状を有する。この場合、床パン１２０のサイズは、例えば一辺が１．６メートル四方である。浴槽設置部１３０の浴槽設置面３１のうち、第１の縁部３０Ａと第４の縁部３０Ｄとが交差する角１３３Ｃ、および、第２の縁部３０Ｂと第４の縁部３０Ｄとが交差する角１３３Ｄに凸部３４および貫通孔３５が設けられる。浴槽設置部１３０の浴槽設置面３１のうち、第１の縁部３０Ａと第３の縁部３０Ｃとが交差する角１３３Ａ、および、第２の縁部３０Ｂと第３の縁部３０Ｃとが交差する角１３３Ｂには、凸部３４および貫通孔３５が設けられない。角１３３Ａおよび角１３３Ｂは、洗い場１５０および洗い場架台７０が設置されない状態において、作業者が側方から手および工具を差し込んで調整機構６３を操作しやすい。このため、角１３３Ａおよび角１３３Ｂの貫通孔３５を省略することによって蓋４０等の部品点数の削減に貢献できる。
【００３４】
・凸部３４の構成は、任意に変更可能である。例えば、凸部３４を洗い場５０よりも高くすることもできる。また、凸部３４を省略することもできる。
・蓋４０を省略することもできる。この場合、貫通孔３５を樹脂材料等によって閉鎖することもできる。
【００３５】
・洗い場架台７０の構成は、任意に変更可能である。例えば、洗い場架台７０の支持脚７２の上方に調整機構を操作するための貫通孔が形成されている。この場合、洗い場架台７０は、「架台」に相当する。また、浴槽設置部３０に形成されている貫通孔３５を省略することもできる。
【００３６】
・浴槽設置部３０および浴槽架台６０の構成は、任意に変更可能である。例えば、接着剤または締結部材等を用いて浴槽設置部３０を浴槽架台６０に取り付けることができる。
【符号の説明】
【００３７】
１０：浴室ユニット
１２：浴槽
２０，１２０：床パン
３０，１３０：浴槽設置部
３１：浴槽設置面
３３：角
３４：凸部
３５：貫通孔
４０：蓋
４１：シール部
６０：浴槽架台（架台）
６１：支持台
６２：支持脚
６３：調整機構
６４：ボルト
６６：ロックナット
Ｆ  ：床面
【図１】
2018003479.tif 000003
【図２】
2018003479.tif 000004
【図３】
2018003479.tif 000005
【図４】
2018003479.tif 000006
【図５】
2018003479.tif 000007
【図６】
2018003479.tif 000008
【図７】
2018003479.tif 000009
【図８】
2018003479.tif 000010
【図９】
2018003479.tif 000011
【図１０】
2018003479.tif 000012
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
支持台、前記支持台を支持する複数の支持脚、および、前記支持脚に設けられて前記支持台の床面からの高さ位置を調整可能な調整機構を備える架台と、
前記支持台よりも上方で前記支持台に連結されている床パンとを備え、
前記調整機構は、前記支持脚に設けられるボルト、および、前記床パンよりも下方に配置され、前記ボルトの前記支持台に対する回転を規制するロックナットを備え、
前記床パンは、浴槽を設置する浴槽設置部と、前記支持脚の少なくとも１つの上方に前記調整機構を操作可能な貫通孔とを備え、
前記浴槽設置部は、浴槽設置面から上方に突出した凸部を備え、
前記貫通孔は、前記浴槽設置部の前記凸部に形成され、
前記凸部は、前記浴槽設置部の縁部と連続する
浴室ユニット。
【請求項２】
前記貫通孔は、前記浴槽設置部の角に形成されている
請求項１に記載の浴室ユニット。
【請求項３】
前記凸部は、平面視が矩形状に形成され、前記矩形状の２または３つの辺が前記浴槽設置部の縁部よりも前記浴槽設置部の内側に位置する
請求項２に記載の浴室ユニット。
【請求項４】
前記床パンは、前記浴槽設置部と連結されている洗い場を備え、
前記凸部は、前記洗い場よりも低い
請求項１〜３のいずれか一項に記載の浴室ユニット。
【請求項５】
前記貫通孔を閉鎖する蓋、および、前記蓋に取り付けられて前記貫通孔を包囲可能なシール部を備える
請求項１〜４のいずれか一項に記載の浴室ユニット。
【手続補正２】
【補正対象書類名】明細書
【補正対象項目名】０００５
【補正方法】変更
【補正の内容】
【０００５】
本発明に関する浴室ユニットの一形態は、支持台、前記支持台を支持する複数の支持脚、および、前記支持脚に設けられて前記支持台の床面からの高さ位置を調整可能な調整機構を備える架台と、前記支持台よりも上方で前記支持台に連結されている床パンとを備え、前記調整機構は、前記支持脚に設けられるボルト、および、前記床パンよりも下方に配置され、前記ボルトの前記支持台に対する回転を規制するロックナットを備え、前記床パンは、浴槽を設置する浴槽設置部と、前記支持脚の少なくとも１つの上方に前記調整機構を操作可能な貫通孔とを備え、前記浴槽設置部は、浴槽設置面から上方に突出した凸部を備え、前記貫通孔は、前記浴槽設置部の前記凸部に形成され、前記凸部は、前記浴槽設置部の縁部と連続する。
【手続補正３】
【補正対象書類名】明細書
【補正対象項目名】００３０
【補正方法】変更
【補正の内容】
【００３０】
また、浴槽設置部３０および浴槽架台６０は、ハンドレイアップ成形によって製造されるため、浴槽設置部および架台がインサート成形によって一体に成形される場合と比較して支持脚６２と浴槽設置部３０との位置ずれが生じやすい。浴槽設置部３０の貫通孔３５の内径は、浴槽架台６０の調整機構６３を操作するための工具（ドライバＤおよびソケットレンチＷ）の貫通孔３５を通過する部分の外径よりも十分に大きい。このため、支持脚６２と浴槽設置部３０との位置ずれが生じた場合であっても調整機構６３を操作することができる。また、貫通孔３５は、シール部４１を有する蓋４０によって閉鎖されるため、調整機構６３の操作性の低下の抑制と、貫通孔３５を大きくすることによって貫通孔３５から浴槽設置部３０の下方に水が漏れることの抑制とを両立できる。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
支持台、前記支持台を支持する複数の支持脚、および、前記支持脚に設けられて前記支持台の床面からの高さ位置を調整可能な調整機構を備える架台と、
前記支持台よりも上方で前記支持台に連結されている床パンとを備え、
前記調整機構は、前記支持脚に設けられるボルト、および、前記床パンよりも下方に配置され、前記ボルトの前記支持台に対する回転を規制するロックナットを備え、
前記床パンは、浴槽を設置する浴槽設置部と、前記支持脚の少なくとも１つの上方に前記調整機構を操作可能な貫通孔とを備え、
前記浴槽設置部は、浴槽設置面から上方に突出した凸部を備え、
前記貫通孔は、前記浴槽設置部の前記凸部に形成され、
前記凸部の上面は、前記浴槽設置部の縁部と連続し、
前記貫通孔は、前記浴槽設置部の角に形成されている
浴室ユニット。
【請求項２】
前記凸部は、平面視が矩形状に形成され、前記矩形状の２つの辺が前記浴槽設置部の縁部よりも前記浴槽設置部の内側に位置する
請求項１に記載の浴室ユニット。
【請求項３】
前記床パンは、前記浴槽設置部と連結されている洗い場を備え、
前記凸部は、前記洗い場よりも低い
請求項１または２に記載の浴室ユニット。
【請求項４】
前記貫通孔を閉鎖する蓋、および、前記蓋に取り付けられて前記貫通孔を包囲可能なシール部を備える
請求項１〜３のいずれか一項に記載の浴室ユニット。